(57)【要約】      （修正有）【課題】筆記具の両端が使用可能なホルダーを実現することで、研ぎなおしや交換の頻度が少なくなり、しかも円滑かつ確実に保持でき、構造も簡易で安価な筆記具ホルダーを実現する。【解決手段】両端が開口した筒体の天井壁２にカイド用のスリットＳを形成してスライダー３を取付け、該スライダーの内部を弾圧構造とし、筒体中に筆記具４を弾圧保持可能とする。また、前記のスリットを設けた天井壁を、両端寄りに比べて中央寄りを高くすることで、それぞれの開口に筆記具をスライドして保持可能とする。【選択図】図３
0003108076.tif 000002
【実用新案登録請求の範囲】
【請求項１】
断面形状が長方形の筒体の両端を開口させて両端から筆記具が突出可能とし、天井壁に設けたガイド用スリットに沿って両端方向にスライドするスライダーを取付け、該スライダーの筒体内の部分に設けた弾圧手段によって、筒体中に挿入された筆記具をそれぞれの開口で弾圧保持可能としたことを特徴とする筆記具ホルダー。
【請求項２】
前記スリットの両内縁が嵌入する外向きの一対の溝を有するスライダーを取付け、前記スリットを設けた天井壁を、両端寄りに比べて中央寄りが高くなるように傾斜させてなることを特徴とする請求項１に記載の筆記具ホルダー。
【請求項３】
前記スライダーの筒体内の部分が、一対の外向き溝間の頸部から両側に延長しており、この延長部が円弧状になっていて、その両端内面に弾圧面が形成されていることを特徴とする請求項１または請求項２に記載の筆記具ホルダー。
【請求項４】
前記筒体の外面に反射面を設け、しかも連結ひも手段またはクリップを設けたことを特徴とする請求項１、請求項２または請求項３に記載の筆記具ホルダー。
【考案の詳細な説明】
【技術分野】
【０００１】
本考案は、鉄板や鉄骨材などを加工する際の罫書き用の石筆などのような筆記具を保持するホルダーに関する。
【背景技術】
【０００２】
従来の石筆ホルダーには、例えば特開昭５７−１８５２００号公報に記載のように、石筆厚みが約１ｍｍの薄物専用ホルダーが知られている。また、特開平０４−３８２３９号公報に記載のように、押しボタンや締めつけ体などを配置したホルダーや、実開昭５９−２６３８７号公報に記載のようなシャープペンシル型のホルダー、実開平０５−５６４９０号公報に記載のように、板バネを配置した石筆保護ケースなど、各種の石筆ホルダーが提案されている。
【特許文献１】特開昭５７−１８５２００号公報
【特許文献２】特開平０４−３８２３９号公報
【特許文献３】実開昭５９−２６３８７号公報
【特許文献４】実開平０５−５６４９０号公報
【考案の開示】
【考案が解決しようとする課題】
【０００３】
ところが、これらのホルダーはいずれも単一の石筆を片方でしか保持できないため、使用している間に筆記部がつぶれて来たような場合には、研ぎなおして再度保持しなおす必要があり、不便で能率が悪い。石筆などの場合、約５mmの角棒状や直径５mm程度の丸棒状も有り、形状の異なる筆記具を使用したい場合には、それ相応のサイズのホルダーと取り替える必要がある。加えて、筆記具の保持構造が複雑である。
【０００４】
さらに、鉄板等を加工するために、印や線、文字などを書き入れる作業の際に、短い石筆やチョークは、紛失したり、掴みにくく、取り出し難いなどの不便がある。小型の筆記具類を保持するホルダー自体コンパクトなため、落としたり、紛失し易い、落とした場合に探しにくい等の問題もある。したがって、このような種々の不便さの解決が望まれる。
【０００５】
本考案の技術的課題は、このような問題に着目し、筆記具の両端が使用可能なホルダーを実現することで、文字書きと罫書きとの使い分けができ、しかも研ぎなおしや交換の頻度も少なくなり、しかも円滑かつ確実に保持でき、構造も簡易で安価な筆記具ホルダーを実現することにある。さらに、使用上の種々の問題を解決することを目的とする。
【課題を解決するための手段】
【０００６】
本考案の技術的課題は次のような手段によって解決される。請求項１は、断面形状が長方形の筒体の両端を開口させて両端から筆記具が突出可能とし、天井壁に設けたガイド用スリットに沿って両端方向にスライドするスライダーを取付け、該スライダーの筒体内の部分に設けた弾圧手段によって、筒体中に挿入された筆記具をそれぞれの開口で弾圧保持可能としたことを特徴とする筆記具ホルダーである。
【０００７】
このように、断面形状が長方形の筒体の両端を開口させて両端から筆記具を突出させ、スライダーをそれぞれの開口側にスライドして弾圧保持できるため、筆記具の両端の筆記部を対応する開口から突出させて両方で筆記でき、筆記具を研ぎなおしたり交換したりする面倒が軽減される。
【０００８】
請求項２は、前記スリットの両内縁が嵌入する外向きの一対の溝を有するスライダーを取付け、前記スリットを設けた天井壁を、両端寄りに比べて中央寄りが高くなるように傾斜させてなることを特徴とする請求項１に記載の筆記具ホルダーである。このように、前記スリットの両内縁が、スライダーの外向きの一対の溝に嵌入する構造であるため、簡素な構造でスライダーをスライド可能に取付けできる。また、前記スリットを設けた天井壁は、両端寄りに比べて中央寄りが高くなるように山形に傾斜させてあるため、両側の傾斜の低い方にスライダーを移動させることで、それぞれの開口中に筆記具を弾圧保持できる。
【０００９】
請求項３は、前記スライダーの筒体内の部分が、一対の外向き溝間の頸部から両側に延長しており、この延長部が円弧状になっていて、その両端内面に弾圧面が形成されていることを特徴とする請求項１または請求項２に記載の筆記具ホルダーである。このように、前記スライダーの筒体内の部分が両側に延長していて、この延長部が円弧状になっているため、その両端内面で筆記具を弾圧保持でき、その結果、ホルダーの両端２か所で保持可能となる。しかも、弾圧保持構造が極めて簡素化され、安価に実現できる。
【００１０】
請求項４は、前記筒体の外面に反射面を設け、しかも連結ひも手段またはクリップを設けたことを特徴とする請求項１、請求項２または請求項３に記載の筆記具ホルダーである。このように、前記筒体の外面に反射面を設けてあるため、視野に入り易く、落としたりしても容易に発見できる。また、連結ひも手段を設けてあると、筆記具ホルダーをポケット内から容易に取り出すことができ、ポケットを汚すことなく、かつ紛失の恐れもない。クリップを設けておくと、ポケットなどに容易に取付けておくことができる。
【考案の効果】
【００１１】
請求項１のように、断面形状が長方形の筒体の両端を開口させて両端から筆記具を突出させ、スライダーをそれぞれの開口側にスライドして弾圧保持できるため、筆記具の両端の筆記部を対応する開口から突出させて両方で筆記でき、筆記具を研ぎなおしたり交換したりする面倒が軽減される。
【００１２】
請求項２のように、前記スリットの両内縁が、スライダーの外向きの一対の溝に嵌入する構造であるため、簡素な構造でスライダーをスライド可能に取付けできる。また、前記スリットを設けた天井壁は、両端寄りに比べて中央寄りが高くなるように山形に傾斜させてあるため、両側の傾斜の低い方にスライダーを移動させることで、それぞれの開口中に筆記具を弾圧保持できる。
【００１３】
請求項３のように、前記スライダーの筒体内の部分が両側に延長していて、この延長部が円弧状になっているため、その両端内面で筆記具を弾圧保持でき、その結果、ホルダーの両端２か所で保持可能となる。しかも、弾圧保持構造が極めて簡素化され、安価に実現できる。
【００１４】
請求項４のように、前記筒体の外面に反射面を設けてあるため、視野に入り易く、落としたりしても容易に発見できる。また、連結ひも手段を設けてあると、筆記具ホルダーをポケット内から容易に取り出すことができ、ポケットを汚すことなく、かつ紛失の恐れもない。クリップを設けておくと、ポケットなどに容易に取付けておくことができる。
【考案を実施するための最良の形態】
【００１５】
次に本考案による筆記具ホルダーが実際上どのように具体化されるか実施形態を説明する。図１は本考案による筆記具ホルダーの斜視図であり、図２はその平面図と正面図である。１は両端が開口した筒体であり、図４（２）のように、断面形状が長方形状になっている。天井壁２には、筒体１の両端の方向に伸びたスリットＳを形成し、このスリットＳにガイドされて左右方向に移動するスライダー３を取付けてある。また、この天井壁２は、図２（２）からも明らかなように、中央部位が最高となるように、山形に傾斜させてある。そのため、筒体１の内部に筆記具４を挿入した状態で、スライダー３を左側に移動させると、その内部の弾圧手段によって、筆記具４を弾圧保持できる。
【００１６】
筒体１の両端に長方形のリング５を巻き付け固定して、補強してある。また、筒体１の外面に反射箔６を貼りつけてあるので、落としたりした場合に視野に入り易く、容易に発見できる。７はクリップであり、ポケットに掛けたりするのに便利である。また、ストラップとなる連結ひも８を取付けてあるので、この筒状ホルダーをポケットに挿入してある状態において、連結ひも８を引っ張れば、ポケット中から容易に取り出せるので、汚れた手でポケットが汚れたりすることはない。したがって、クリップ７と連結ひも８両方を設けておけば、作業現場を移動するような場合はクリップ７でポケット内に挿入固定しておき、同じ現場内で頻繁に筒状ホルダーを使用する場合は、筒状ホルダーだけをポケット内に挿入して連結ひも８は出しておけば、連結ひも８で筒状ホルダーを引っ張り出せるので、簡便である。
【００１７】
図３は、スライダー３による筆記具４の弾圧保持作用を説明する図で、図２（１）のＡ−Ａ位置の断面図である。この図から明らかなように、スライダー３は、天井壁２より上側の部分３１が操作部になっていて、指先で押してスライドできる。天井壁２より下側の部分３２は、筆記具４を弾圧保持するための弾圧手段を構成している。すなわち、全体的にゆるい円弧状になっており、その両端の弾圧部３３、３４の内面（筒体中に面する側の面）で筆記具４を弾圧できる。操作部３１と円弧状部３２との間の頸部３５がくびれているため、円弧状部３２の両側の片持ち梁状の部分が長くなり、弾性に富んだ形状となっている。
【００１８】
図４（１）はスライダー３の斜視図、図４（２）は図３（１）のＢ−Ｂ断面図である。このように、スリットＳと直角方向の断面図で見た場合も、操作部３１と円弧状部３２との間の頸部３５がくびれていて、Ｈ字を横にした形状になっている。すなわち、横に倒したＨ字の外向きの一対の溝３６、３７の中に、前記スリットＳの左右の内縁Ｓ１、Ｓ２が嵌入した状態となっているので、スライダー３は筒体１から分離不能となり、スリットＳに沿ってスライドできる。弾圧部３３、３４の内面にＶ字状の切り欠き３８を形成してあるので、筆記具４が丸棒状の場合にＶ字状切り欠き３８中に嵌入して、確実に保持される。
【００１９】
天井壁２は中央の部位が高くなるように山形に傾斜しているため、図３（１）のようにスライダー３が最高部位に位置している状態では、筒体１の内部に挿入された筆記具４から浮き上がった状態となり、弾圧できない。その結果、筆記具４はフリーの状態となるので、筒体１に自由に出し入れできる。ところが、筆記具４を挿入した状態において、図３（２）のように、スライダー３を指先で左側に移動させると、スライダー３の左側の弾圧部３３が左側の傾斜を滑り降りて低くなるため、筆記具４の上面と接し、しかも前（左）下がりに傾斜するため、筆記具上面を弾圧することになる。その結果、弾圧力が増大して、スライダー３が移動不能となるまで指先で押すと、筆記具４は左側の開口中で確実に弾圧保持された状態となる。弾圧保持している筆記具４を解除し、取り出す場合は、スライダー３を右側にわずかにスライドし戻すだけでよい。
【００２０】
筒体１の右側に筆記具４を保持する場合は、筒体１中に内蔵されている筆記具４を右側にスライド移動してから、図３（１）のスライダー３が最高部位またはその付近に位置している状態から右側にスライドさせると、スライダー３が右側の傾斜を滑り降りて、右側の弾圧部３４が下降すると共に右（前）下がりに傾斜して、筆記具４の上面を弾圧し保持する。このようにして、筒体１の両方の開口中に筆記具４を弾圧保持できるので、予め筆記具４の両端を所定の太さに研いでおき、片方を使用した後に他方の開口から突出させて保持すれば、筆記具４の両端を連続使用でき、従来のように交換したり何度も研ぎなおしする必要がない。
【００２１】
筆記具が角棒状と丸棒状と混在する場合でも、それらが長方形断面の短辺ｈ内に納まる寸法であれば、図４（２）のように、角棒状石筆４１と丸棒状石筆４２を重ねて圧接保持することもできる。また、操作部３１両端の弾圧部３３、３４で弾圧保持するので、形状のいかんに関係なく、使い残りや折れた石筆などのように短い筆記具でも確実に保持して有効利用することもできる。
【００２２】
図示例の場合は、長方形の断面形状の短い方の天井壁２にスライダー３を取付ける構造であるため、保持する筆記具４が長方形状の場合、短い方の辺を弾圧して保持することになるが、長方形の断面形状の長い方を天井壁にしてスリットＳにスライダー３を取付ける構造にすれば、保持する筆記具４の長い方の辺を弾圧することができる。
【産業上の利用可能性】
【００２３】
以上のように、本考案によると、断面形状が長方形の筒体の中に筆記具を挿入して弾圧保持する場合に、筆記具を弾圧保持するスライダーのガイド用のスリットを設けた天井壁を、両端寄りに比べて中央寄りが高くなるように傾斜させてあるため、筒体の両端から筆記具を突出させて弾圧保持し、筆記できる。そのため、筆記具を交換することなく、反対側の筆記部を突出させて連続使用できるなど、筆記作業が能率化される。しかも、弾圧保持手段は、円弧状に形成して、両側が弾力を発揮する構造にしたので筒体の両端で保持でき、かつ極めて簡素な構造で弾圧保持可能となり、筆記作業が高能率化される。
【図面の簡単な説明】
【００２４】
【図１】本考案による筆記具ホルダーの斜視図である。
【図２】（１）は図１の筆記具ホルダーの平面図、（２）は正面図である。
【図３】図２（１）のＡ−Ａ断面図である。
【図４】（１）はスライダーの斜視図、（２）は図３（１）のＢ−Ｂ断面図である。
【符号の説明】
【００２５】
１  筒体                              ３５  頸部
２  天井壁                            ３６・３７  外向きの溝
Ｓ  スリット                          ４  筆記具
Ｓ１・Ｓ２  スリット内縁              ５  補強リング
３  スライダー                        ６  反射箔
３１  操作部                          ７  クリップ
３２  円弧状部                        ８  連結ひも（ストラップ）
３３・３４  弾圧部                    ３８  Ｖ字状切り欠き
【図１】
0003108076.tif 000003
【図２】
0003108076.tif 000004
【図３】
0003108076.tif 000005
【図４】
0003108076.tif 000006